(57)【要約】  本開示の実施形態は、アンライセンスサブバンドのダウンリンク制御のための方法、デバイスおよびコンピュータ可読媒体に関する。方法は、アンライセンスである複数のサブバンド上の制御リソースに関連付けられた探索空間構成を決定することであって、探索空間構成は、複数のサブバンドについて、ダウンリンク制御情報の検出の候補を示す、決定することと、探索空間構成から、複数のサブバンドの各々における制御リソース上の候補の位置を決定することと、端末デバイスによって仮定される伝送帯域幅に基づいて、利用可能な数の候補を決定された位置にマッピングすることと、マッピングされた候補において、ダウンリンク制御情報を前記端末デバイスに送信することとを含む。
2022501955.tif 000002
【特許請求の範囲】
【請求項１】
ネットワークデバイスにおいて実施される方法であって、
アンライセンスである複数のサブバンド上の制御リソースに関連付けられた探索空間構成を決定することであって、前記探索空間構成は、前記複数のサブバンドについて、ダウンリンク制御情報の検出の候補を示す、決定することと、
前記探索空間構成から、前記複数のサブバンドの各々における前記制御リソース上の前記候補の位置を決定することと、
端末デバイスによって仮定される伝送帯域幅に基づいて、利用可能な数の候補を前記決定された位置にマッピングすることと、
前記マッピングされた候補において、ダウンリンク制御情報を前記端末デバイスに送信することと
を含む、方法。
【請求項２】
前記探索空間構成を決定することは、
前記複数のサブバンドについて、候補の構成された数を分割することによって、前記複数のサブバンドの１つまたは複数のサブセットについて、前記候補の１つまたは複数の数を決定することと、
前記１つまたは複数のサブセットについて決定された前記１つまたは複数の数の中から、単一の数を決定することと、
前記決定された単一の数に基づいて、前記制御リソース内の前記候補の開始位置を決定することと
を含む、請求項１に記載の方法。
【請求項３】
前記候補の構成された数は、前記複数のサブバンドについて実質的に均等に分割されるか、または
前記候補の構成された数は、前記複数のサブバンドの各々に配分された制御リソースの数に基づいて、前記複数のサブバンドについて分割される、請求項２に記載の方法。
【請求項４】
前記単一の数および前記開始位置は、前記端末デバイスによって仮定される前記伝送帯域幅と無関係である、請求項２に記載の方法。
【請求項５】
前記探索空間構成は、チャネル占有時間（ＣＯＴ）の第１のスロットまたはミニスロットに適用される、請求項１に記載の方法。
【請求項６】
前記探索空間構成は、チャネル占有時間（ＣＯＴ）の第１のスロットまたはミニスロット以外の、前記ＣＯＴのスロットに適用される、請求項１に記載の方法。
【請求項７】
前記探索空間構成は、チャネル占有時間（ＣＯＴ）の全てのスロットに適用される、請求項１に記載の方法。
【請求項８】
前記利用可能な数の候補を前記決定された位置にマッピングすることは、
前記複数のサブバンドから、前記端末デバイスによって知られることになるサブバンドのサブセットを決定することと、
前記候補の構成された数を前記サブセットについて分割することによって、前記サブセット内のサブバンドごとに、利用可能な候補の数を決定することと
を含む、請求項１または２に記載の方法。
【請求項９】
前記候補の構成された数は、前記サブセット内のサブバンドについて実質的に均等に分割されるか、または
前記候補の構成された数は、前記サブセット内の前記サブバンドに配分された制御リソースの数に基づいて、前記サブセット内の前記サブバンドについて分割される、請求項８に記載の方法。
【請求項１０】
前記構成された候補の総数は、前記サブセット内のサブバンドの数と無関係である、請求項８に記載の方法。
【請求項１１】
利用可能な数の候補を、サブバンド内の候補の決定された位置に前記マッピングすることは、候補インデックスの昇順で行われる、請求項８に記載の方法。
【請求項１２】
端末デバイスにおいて実施される方法であって、
アンライセンスである複数のサブバンド上の制御リソースに関連付けられた探索空間構成を受信することであって、前記探索空間構成は、前記複数のサブバンドについて、ダウンリンク制御情報の検出の候補を示す、受信することと、
前記探索空間構成から、前記複数のサブバンドの各々における前記制御リソース上の前記候補の位置を決定することと、
前記端末デバイスによって仮定される伝送帯域幅に基づいて、前記決定された位置にマッピングされる利用可能な数の候補を決定することと、
前記利用可能な数の候補に基づいて、前記ダウンリンク制御情報を検出することと
を含む、方法。
【請求項１３】
前記端末デバイスは、前記探索空間構成に基づいて、単一の数に基づいて前記制御リソースにおける前記候補の開始位置を決定し、前記単一の数は、前記複数のサブバンドの１つまたは複数のサブセットについて決定された前記候補の１つまたは複数の数の中から決定され、前記候補の前記１つまたは複数の数は、前記複数のサブバンドについて、前記候補の構成された数を分割して、前記１つまたは複数のサブセットについて決定される、請求項１２に記載の方法。
【請求項１４】
前記候補の構成された数は、前記複数のサブバンドについて実質的に均等に分割されるか、または
前記候補の構成された数は、前記複数のサブバンドの各々に配分された制御リソースの数に基づいて、前記複数のサブバンドについて分割される、請求項１３に記載の方法。
【請求項１５】
前記単一の数および前記開始位置は、前記端末デバイスによって仮定される前記伝送帯域幅と無関係である、請求項１３に記載の方法。
【請求項１６】
前記探索空間構成は、チャネル占有時間（ＣＯＴ）の第１のスロットまたはミニスロットに適用される、請求項１２に記載の方法。
【請求項１７】
前記探索空間構成は、チャネル占有時間（ＣＯＴ）の第１のスロットまたはミニスロット以外の、前記ＣＯＴのスロットに適用される、請求項１２に記載の方法。
【請求項１８】
前記探索空間構成は、チャネル占有時間（ＣＯＴ）の全てのスロットに適用される、請求項１２に記載の方法。
【請求項１９】
前記決定された位置にマッピングされる前記利用可能な数の候補を決定することは、
前記複数のサブバンドから、サブバンドのサブセットを決定することと、
前記候補の構成された数を前記サブセットについて分割することによって、前記サブセット内のサブバンドごとに、前記利用可能な候補の数を決定することと
を含む、請求項１２または１３に記載の方法。
【請求項２０】
前記候補の構成された数は、前記サブセット内のサブバンドについて実質的に均等に分割されるか、または
前記候補の構成された数は、前記サブセット内の前記サブバンドに配分された制御リソースの数に基づいて、前記サブセット内の前記サブバンドについて分割される、請求項１９に記載の方法。
【請求項２１】
前記構成された候補の総数は、前記サブセット内のサブバンドの数と無関係である、請求項１９に記載の方法。
【請求項２２】
利用可能な数の候補を、サブバンド内の候補の決定された位置に前記マッピングすることは、候補インデックスの昇順で行われる、請求項１９に記載の方法。
【請求項２３】
デバイスであって、
少なくとも１つのプロセッサと、
コンピュータプログラムコード含む少なくとも１つのメモリと
を備え、
前記少なくとも１つのメモリおよび前記コンピュータプログラムコードは、前記少なくとも１つのプロセッサを用いて、前記デバイスに、少なくとも請求項１〜１１のいずれか１項に記載の方法を実行させるように構成される、デバイス。
【請求項２４】
デバイスであって、
少なくとも１つのプロセッサと、
コンピュータプログラムコードを含む少なくとも１つのメモリと
を備え、
前記少なくとも１つのメモリおよび前記コンピュータプログラムコードは、前記少なくとも１つのプロセッサを用いて、前記デバイスに、少なくとも請求項１２〜２２のいずれか１項に記載の方法を実行させるように構成される、デバイス。
【請求項２５】
アンライセンスサブバンドのダウンリンク制御のための装置であって、
アンライセンスである複数のサブバンド上の制御リソースに関連付けられた探索空間構成を決定する手段であって、前記探索空間構成は、前記複数のサブバンドについて、ダウンリンク制御情報の検出の候補を示す、決定する手段と、
前記探索空間構成から、前記複数のサブバンドの各々における前記制御リソース上の前記候補の位置を決定する手段と、
端末デバイスによって仮定される伝送帯域幅に基づいて、利用可能な数の候補を前記決定された位置にマッピングする手段と、
前記マッピングされた候補において、ダウンリンク制御情報を前記端末デバイスに送信する手段と
を備える、装置。
【請求項２６】
アンライセンスサブバンドのダウンリンク制御のための装置であって、
アンライセンスである複数のサブバンド上の制御リソースに関連付けられた探索空間構成を受信する手段であって、前記探索空間構成は、前記複数のサブバンドについて、ダウンリンク制御情報の検出の候補を示す、受信する手段と、
前記探索空間構成から、前記複数のサブバンドの各々における前記制御リソース上の前記候補の位置を決定する手段と、
前記端末デバイスによって仮定される伝送帯域幅に基づいて、前記決定された位置にマッピングされる利用可能な数の候補を決定する手段と、
前記利用可能な数の候補に基づいて、前記ダウンリンク制御情報を検出する手段と
を備える、装置。
【請求項２７】
装置に、少なくとも請求項１〜１１のいずれか１項に記載の方法を実行させるためのプログラム命令を含む非一時的コンピュータ可読媒体。
【請求項２８】
装置に、少なくとも請求項１２〜２２のいずれか１項に記載の方法を実行させるためのプログラム命令を含む非一時的コンピュータ可読媒体。
【発明の詳細な説明】
【技術分野】
【０００１】
本開示の実施形態は、一般に、電気通信の分野に関し、特に、アンライセンスサブバンド（unlicensed sub-bands）のダウンリンク制御のための方法、デバイスおよびコンピュータ可読記憶媒体に関する。
【背景技術】
【０００２】
ＮＲシステムまたはＮＲネットワークとも呼ばれる新無線アクセスシステムは、次世代（next generation）通信システムである。第３世代パートナーシッププロジェクト（３ＧＰＰ）は、ＮＲアンライセンス（ＮＲ−Ｕ）検討項目（ＳＩ）を開始した。現時点において、ダウンリンク（ＤＬ）制御に関連した唯一の合意は極めて大まかなものである。例えば、ＮＲ−Ｕにおける以下のチャネル／信号、すなわち、物理ダウンリンク制御チャネル（ＰＤＣＣＨ）／物理ダウンリンク共有チャネル（ＰＤＳＣＨ）、物理アップリンク制御チャネル（ＰＵＣＣＨ）／物理アップリンク共有チャネル（ＰＵＳＣＨ）、プライマリ同期信号（ＰＳＳ）／セカンダリ同期信号（ＳＳＳ）／物理ブロードキャストチャネル（ＰＢＣＨ）、物理ランダムアクセスチャネル（ＰＲＡＣＨ）、動作周波数範囲に適用可能なＤＬおよびアップリンク（ＵＬ）基準信号をサポートするのに必要な設計変更を検討することが合意されている。
【０００３】
ＮＲにおいて、新たな帯域幅部分（ＢＷＰ，bandwidth part）の概念を導入することにより、ネットワークキャリア帯域幅内のユーザ機器の（ＵＥの）動作帯域幅（operating bandwidth）を柔軟にかつ動的に構成することが可能になる。ＢＷＰは、複数のサブバンド（例えば、複数の２０ＭＨｚアンライセンスチャネル）を含むことができる。次世代ＮｏｄｅＢ（ｇＮＢ）の伝送帯域幅（transmission bandwidth）は、サブバンド固有のリッスンビフォアトーク（ＬＢＴ，listen-before-talk）に従って変動することができる。上限（例えば、Ｎ＊２０ＮＨｚ）は、選択されたニューメロロジー（numerology）およびＦＦＴサイズによって決定することができる。例えば、３０ｋＨｚのサブキャリア間隔および４ｋのＦＦＴを用いるとき、最大チャネル帯域幅は８０ＭＨｚとすることができる。ＢＷＰ内のレガシーＮＲ  ＰＤＣＣＨ構造を用いるとき、伝送帯域幅を動的に変動させることにより、ＰＤＣＣＨ監視の複雑度および構成オーバヘッドが増大する。したがって、構成オーバヘッドおよび監視複雑度を低く保つ、ＮＲ−ＵのためのＢＷＰにおける既存のＰＤＣＣＨ構造を向上させる解決策が必要とされている。
【発明の概要】
【０００４】
一般に、本開示の例示的な実施形態は、アンライセンスサブバンドにおいて動作しているときの、ダウンリンク制御チャネルのための方法、デバイスおよびコンピュータ可読記憶媒体を提供する。
【０００５】
第１の態様において、ネットワークデバイスにおいて実施される方法が提供される。方法は、アンライセンスである複数のサブバンド上の制御リソースに関連付けられた探索空間構成（search space configuration）を決定することであって、探索空間構成は、複数のサブバンドについて、ダウンリンク制御情報の検出の候補を示す、決定することと、探索空間構成から、複数のサブバンドの各々における制御リソース上の候補の位置を決定することと、端末デバイスによって仮定される伝送帯域幅に基づいて、利用可能な数の候補を決定された位置にマッピングすることと、マッピングされた候補において、ダウンリンク制御情報を端末デバイスに送信することとを含む。
【０００６】
第２の態様において、端末デバイスにおいて実施される方法が提供される。方法は、アンライセンスである複数のサブバンド上の制御リソースに関連付けられた探索空間構成を受信することであって、探索空間構成は、複数のサブバンドについて、ダウンリンク制御情報の検出の候補を示す、受信することと、探索空間構成から、複数のサブバンドの各々における制御リソース上の候補の位置を決定することと、端末デバイスによって仮定される伝送帯域幅に基づいて、決定された位置にマッピングされる利用可能な数の候補を決定することと、利用可能な数の候補に基づいて、ダウンリンク制御情報を検出することとを含む。
【０００７】
第３の態様において、ネットワークデバイスが提供される。デバイスは、少なくとも１つのプロセッサと、コンピュータプログラムコード含む少なくとも１つのメモリとを備える。少なくとも１つのメモリおよびコンピュータプログラムコードは、少なくとも１つのプロセッサを用いて、デバイスに、少なくとも第１の態様による方法を実行させるように構成される。
【０００８】
第４の態様において、端末デバイスが提供される。デバイスは、少なくとも１つのプロセッサと、コンピュータプログラムコードを含む少なくとも１つのメモリとを備える。少なくとも１つのメモリおよびコンピュータプログラムコードは、少なくとも１つのプロセッサを用いて、デバイスに、少なくとも第２の態様による方法を実行させるように構成される。
【０００９】
第５の態様において、第１の態様による方法のステップを実行する手段を備える装置が提供される。
【００１０】
第６の態様において、第２の態様による方法のステップを実行する手段を備える装置が提供される。
【００１１】
第７の態様において、デバイスの少なくとも１つのプロセッサによって実行されると、デバイスに、第１の態様による方法を実行させるコンピュータプログラムが記憶されたコンピュータ可読媒体が提供される。
【００１２】
第８の態様において、デバイスの少なくとも１つのプロセッサによって実行されると、デバイスに、第２の態様による方法を実行させるコンピュータプログラムが記憶されたコンピュータ可読媒体が提供される。
【００１３】
発明の概要のセクションは、本開示の実施形態の主要な、または必須の特徴を特定することを意図されておらず、また、本セクションは、本開示の範囲を限定するために用いられることも意図されていないことを理解されたい。本開示の他の特徴は、以下の説明を通じて容易に理解できるようになるであろう。
【００１４】
添付の図面における本開示のいくつかの実施形態のより詳細な説明を通じて、本開示の、上述の、および他の目的、特徴および利点がより明らかになるであろう。
【図面の簡単な説明】
【００１５】
【図１】本開示の実施形態を実施することができる例示的な通信ネットワーク１００を示す図である。
【図２】異なるサブキャリア間隔について可能なキャリア帯域幅を概略的に示す図２００ある。
【図３】ＮＲ−Ｕ送信のための可能な帯域幅の組み合わせを概略的に示す図３００である。
【図４】本開示のいくつかの例示的な実施形態による、ダウンリンク制御情報を送信するための例示的な方法４００のフローチャートである。
【図５】本開示のいくつかの例示的な実施形態による制御リソースセット（ＣＯＲＥＳＥＴ）構成を概略的に示す図５００である。
【図６】本開示のいくつかの実施形態によるハッシング関数を概略的に示す図６００である。
【図７】本開示のいくつかの例示的な実施形態による、ダウンリンク制御情報を受信するための例示的な方法７００のフローチャートである。
【図８】本開示の例示的な実施形態を実施するのに適したデバイス８００の概略ブロック図である。
【発明を実施するための形態】
【００１６】
図面全体を通じて、同じ、または同様の参照符号は、同じ、または同様の要素を表す。
【００１７】
これより、本開示の原理を、いくつかの例示的な実施形態を参照して説明する。これらの実施形態は例示の目的のためにのみ記載されており、当業者が本開示を理解して実施することを助けるものであり、本開示の範囲に関するいかなる限定をも示唆していないことを理解されたい。本明細書に記載されている開示は、以下に記載されているもの以外の様々な様態で実施することができる。
【００１８】
以下の説明および特許請求の範囲において、他に定義されない限り、本明細書で使用される全ての技術用語および科学用語は、本開示が属する技術分野の当業者により一般に理解されるのと同じ意味を有する。
【００１９】
本明細書において用いられるとき、「通信ネットワーク」という用語は、ロングタームエボリューション（ＬＴＥ）、ＬＴＥ−アドバンスト（ＬＴＥ−Ａ）および５Ｇ  ＮＲ等の任意の適切な通信規格またはプロトコルに従い、例えば、多入力多出力（ＭＩＭＯ）、ＯＦＤＭ、時分割多重（ＴＤＭ）、周波数分割多重（ＦＤＭ）、符号分割多重（ＣＤＭ）、Ｂｌｕｅｔｏｏｔｈ、ＺｉｇＢｅｅ、マシンタイプ通信（ＭＴＣ）、ｅＭＢＢ、ｍＭＴＣおよびｕＲＬＬＣ技術を含む、任意の適切な通信技術を用いるネットワークを指す。論考の目的で、いくつかの実施形態において、ＬＴＥネットワーク、ＬＴＥ−Ａネットワーク、５Ｇ  ＮＲネットワーク、またはそれらの任意の組み合わせが、通信ネットワークの例としてとられる。
【００２０】
本明細書において用いられるとき、「ネットワークデバイス」という用語は、通信ネットワークのネットワーク側における任意の適切なデバイスを指す。ネットワークデバイスは、例えば、基地局（ＢＳ）、中継ノード（統合アクセスおよびバックホール（ＩＡＢ）ノードとして知られる）、アクセスポイント（ＡＰ）、ノードＢ（ＮｏｄｅＢまたはＮＢ）、発展型ＮｏｄｅＢ（ｅＮｏｄｅＢまたはｅＮＢ）、ギガビットＮｏｄｅＢ（ｇＮＢ）、リモート無線モジュール（ＲＲＵ）、無線ヘッダ（ＲＨ）、リモート無線ヘッド（ＲＲＨ）、フェムト、ピコ等の低電力ノード等を含む、通信ネットワークのアクセスネットワークにおける任意の適切なデバイスを含むことができる。論考の目的で、いくつかの実施形態において、ｅＮＢは、ネットワークデバイスの例とみなされる。
【００２１】
ネットワークデバイスは、例えば、ＭＳＲ  ＢＳ等のマルチスタンダード無線（ＭＳＲ）無線機器、無線ネットワークコントローラ（ＲＮＣ）または基地局コントローラ（ＢＳＣ）等のネットワークコントローラ、マルチセル／マルチキャスト協調エンティティ（ＭＣＥ）、移動交換局（ＭＳＣ）およびＭＭＥ、運用管理（Ｏ＆Ｍ）ノード、運用サポートシステム（ＯＳＳ）ノード、自己組織化ネットワーク（ＳＯＮ）ノード、拡張サービス提供モバイルロケーションセンタ（Ｅ−ＳＭＬＣ）等の測位ノード、および／またはモバイルデータ端末（ＭＤＴ）を含む、コアネットワークにおける任意の適切なデバイスも含むことができる。
【００２２】
本明細書において用いられるとき、「端末デバイス」という用語は、ネットワークデバイスとの通信が可能であり、このために構成され、配置され、かつ／もしくは動作可能なデバイス、または通信ネットワークにおける更なる端末デバイスを指す。通信は、無線で情報を伝達するのに適した電磁信号、電波、赤外線信号、および／または他のタイプの信号を用いて無線信号を送信および／または受信することを伴うことができる。いくつかの実施形態において、端末デバイスは、直接的なヒューマンインタラクションなしで情報を送信および／または受信するように構成することができる。例えば、端末デバイスは、内部イベントもしくは外部イベントによってトリガされると、またはネットワーク側からの要求に応じて、所定のリソースにおいてネットワークデバイスに情報を送信することができる。
【００２３】
端末デバイスの例は、限定ではないが、スマートフォン、無線対応タブレットコンピュータ、ラップトップ埋め込み型機器（ＬＥＥ）、ラップトップ搭載型機器（ＬＭＥ）、および／または無線カスタマ構内設備（ＣＰＥ）等のユーザ機器（ＵＥ）を含む。論考の目的で、以下において、いくつかの実施形態が端末デバイスの例としてＵＥを参照して説明され、「端末デバイス」および「ユーザ機器」（ＵＥ）という語は、本開示の文脈において交換可能に用いることができる。
【００２４】
本明細書において用いられるとき、「セル」という用語は、ネットワークデバイスによって送信される無線信号によってカバーされるエリアを指す。セル内の端末デバイスは、ネットワークデバイスによってサービングされ、ネットワークデバイスを介して通信ネットワークにアクセスすることができる。
【００２５】
本明細書において用いられるとき、「回路部」という用語は、以下のうちの１つまたは複数または全てを指すことができる。
（ａ）ハードウェアのみの回路実装（アナログおよび／またはデジタル回路部のみにおける実装等）、および、
（ｂ）（ｉ）アナログおよび／またはデジタルハードウェア回路とソフトウェア／ファームウェアとの組み合わせ、および（ｉｉ）携帯電話またはサーバなどの装置に様々な機能を実行させるために連携する、ソフトウェアを有するハードウェアプロセッサ（デジタルシグナルプロセッサを含む）の任意の部分、ソフトウェアおよびメモリ、等のハードウェア回路およびソフトウェアの組み合わせ（該当する場合）、および、
（ｃ）ハードウェア回路、および／または動作のためにソフトウェア（例えば、ファームウェア）を必要とする、マイクロプロセッサまたはマイクロプロセッサの一部等のプロセッサ。ただし、ソフトウェアは、動作に必要とされないとき、存在しない場合がある。
【００２６】
回路部のこの定義は、任意の特許請求項を含む、本出願におけるこの用語の全ての使用に適用される。更なる例として、本出願において用いられるとき、回路部という用語は、単なるハードウェア回路もしくはプロセッサ（または複数のプロセッサ）、またはハードウェア回路もしくはプロセッサの一部、およびその付随するソフトウェアおよび／またはファームウェアの実施もカバーする。回路部という用語は、例えば、特定の特許請求要素に適用可能である場合、モバイルデバイスまたはサーバにおける類似の集積回路、セルラネットワークデバイス、または他のコンピューティングデバイスもしくはネットワークデバイスのためのベースバンド集積回路またはプロセッサ集積回路もカバーする。
【００２７】
本明細書において用いられるとき、単数形「ａ」、「ａｎ」、および「ｔｈｅ」は、文脈が明らかにそうでないことを示していない限り、複数形も含むことを意図する。「含む（ｉｎｃｌｕｄｅｓ）」という用語およびその変異形は「含むが限定されない」ことを意味するオープンな用語として読むべきである。「基づく」という用語は「少なくとも部分的に基づく」と読むべきである。「１つの実施形態」および「実施形態」という用語は「少なくとも１つの実施形態」と読むべきである。「別の実施形態」という用語は「少なくとも１つの別の実施形態」と読むべきである。他の定義も明示的および暗示的に下記に含まれ得る。
【００２８】
図１は、本開示の実施形態を実施することができる通信ネットワーク１００を示す。通信ネットワーク１００は、ネットワークデバイス１１０を含む。ネットワークデバイス１１０は、そのサービングエリア（セル１１１とも呼ばれる）内の端末デバイス１２０としての役割を果たす。
【００２９】
ネットワークデバイスおよび端末デバイスの数は、いかなる限定も示唆することなく、例示の目的のみで示されることを理解されたい。通信ネットワーク１００は、本開示の実施形態を実施するのに適した任意の適切な数のネットワークデバイスおよび端末デバイスを含むことができる。図示されていないが、１つまたは複数の端末デバイスがセル１１１内に位置し、ネットワークデバイス１１０によってサービングされる場合があることが理解されよう。
【００３０】
ネットワーク１００における通信は、限定ではないが、ロングタームエボリューション（ＬＴＥ）、ＬＴＥ−エボリューション、ＬＴＥ−アドバンスト（ＬＴＥ−Ａ）、広帯域符号分割多重接続（ＷＣＤＭＡ（登録商標））、符号分割多重接続（ＣＤＭＡ）、およびモバイル通信のためのグローバルシステム（ＧＳＭ）等を含む任意の適切な規格に従うことができる。更に、通信は、現在既知であるか、または未来に開発されることになる任意の世代の通信プロトコルに従って行うことができる。通信プロトコルの例は、限定ではないが、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルおよびその発展を含む。
【００３１】
上述したように、これまで、ＮＲ−ＵにおけるＤＬ制御に関連する合意は極めて大まかなものである。対照的に、ＮＲライセンスを要するＰＤＣＣＨ動作は、技術規格（ＴＳ）３８．３００において高水準で説明されている。ＰＤＣＣＨを用いて、ＰＤＳＣＨにおけるＤＬ送信およびＰＵＳＣＨにおけるＵＬ送信をスケジューリングすることができ、ここで、ＰＤＣＣＨにおけるダウンリンク制御情報（ＤＣＩ）は、
−  少なくとも、ＤＬ−ＳＣＨに関連する変調および符号化フォーマット、リソース配分、およびハイブリッドＡＲＱ情報を含むダウンリンク割り当て、
−  少なくとも、ＵＬ−ＳＣＨに関連する変調および符号化フォーマット、リソース配分、およびハイブリッドＡＲＱ情報を含むアップリンクスケジューリンググラント、
を含む。
【００３２】
ＵＥは、対応する探索空間構成に従って、１つまたは複数の構成された制御リソースセット（ＣＯＲＥＳＥＴ）における構成された監視機会においてＰＤＣＣＨ候補のセットを監視する。ＣＯＲＥＳＥＴは、１〜３ＯＦＤＭシンボルの持続時間を有する物理リソースブロック（ＰＲＢ）のセットからなる。リソースユニットであるリソース要素グループ（ＲＥＧ）、ＲＥＧバンドルおよび制御チャネル要素（ＣＣＥ）は、ＣＯＲＥＳＥＴ内で定義され、各ＣＣＥは、１つまたは複数のＲＥＤバンドルからなる。ＲＥＧバンドルは、１つのＰＲＢ（物理リソースブロック）および１つのＯＦＤＭシンボルを有する少なくとも２つのＲＥＧを含む。インタリーブおよび非インタリーブＣＣＥ対ＲＥＧマッピングはＣＯＲＥＳＥＴにおいてサポートされる。インタリーブは、ＲＥＧバンドルと共に動作する。制御チャネルは、１つまたは複数のＣＣＥからなる。異なる数のＣＣＥを集約することによって、制御チャネルのための異なるコードレートが実現される。
【００３３】
ＰＤＣＣＨのためにポーラ符号化が用いられる。ＰＤＣＣＨを搬送する各リソース要素グループは、独自のＤＭＲＳを搬送する。ＰＤＣＣＨのためにＱＰＳＫ変調が用いられる。
【００３４】
ＮＲライセンスを要する場合、ＰＤＣＣＨ構成は、ＣＯＲＥＳＥＴおよびその探索空間を定義する。ＴＳ３８．３３１およびＴＳ３８．２１３において、ＣＯＲＥＳＥＴの構成方式およびＣＯＲＥＳＥＴの探索空間が更に指定されている。
【００３５】
本開示をより良好に理解するために、ここで、ＮＲ−Ｕ広帯域動作に関する簡単な手引を与える。ＮＲ−Ｕ広帯域（２０ＭＨｚ超）のキャリアについて、以下のシナリオが仮定される。
１）５ＧＨｚアンライセンススペクトルにおける動作、
２）（ライセンスバンド）ＮＲについて仮定される、４ｋ  ＦＦＴ等の大きなＦＦＴサイズ。Ｒｅｌ−１５におけるＢＷＰ当たりの最大ＰＲＢ数は２７５である。背後にある仮定は、ＵＥ実装が４ｋ  ＦＦＴ（２７５ＰＲＢ＊１２サブキャリア／ＰＲＢ＝３３００サブキャリア）に基づくというものである。
３）３０ｋＨｚまたは６０ｋＨｚ等の大きなサブキャリア間隔（ＳＣＳ）。加えて、１５ｋＨｚのＳＣＳも用いることができる。
【００３６】
本開示において、キャリア帯域幅は、ＮＲキャリアの帯域幅である。ＮＲキャリアに１つまたは複数のＢＷＰが存在し得る。サブバンドは、アンライセンスキャリアにおける１つの（または場合によっては複数の隣接した）チャネルであり、通常、２０ＭＨｚの帯域幅を有する。サブバンドは、単一のＬＢＴの帯域幅と位置合わせされる。ＵＥのキャリア（ＢＷＰ）帯域幅は、ｇＮＢのキャリア帯域幅以下とすることができる。
【００３７】
図２は、異なるＮＲ帯域幅を有する３つのキャリアを概略的に示す図２００を示し、各ブロックにおける数「２０」は、２０ＭＨｚサブバンドを表す。６０ｋＨｚのＳＣＳを有するキャリア２０１は、１６０ＭＨｚのＢＷを有し、各２０ＭＨｚの８つのサブバンド（例えば、サブバンド２１０）を含み、３０ｋＨｚのＳＣＳを有するキャリア２０２は、８０ＭＨｚのＢＷを有し、各々２０ＭＨｚの４つのサブバンドを含み、１５ｋＨｚのＳＣＳを有するキャリア２０３は、４０ＭＨｚのＢＷを有し、各々２０ＭＨｚの２つのサブバンドを含む。４ｋ  ＦＦＴを仮定するこの例について見て取ることができるように、各キャリア帯域幅は、複数の２０ＭＨｚサブバンドを含む。
【００３８】
例において、ＤＬシナリオが検討される。ＮＲ−Ｕシナリオに従って動作するとき、ｇＮＢは、セル内のＤＬ  ＮＲ−Ｕ  Ｔｘバーストの送信を開始することができるようになる前に、ＬＢＴを実行すべきである。規制要件を満たし、他のシステムとの公平な共存を可能にするために、ＮＲアンライセンスも、例えば２０ＭＨｚの分解能を有するサブバンドＬＢＴをサポートするべきである。これに関する以下の合意が行われた。
研究のための基準値：ＮＲ−Ｕが動作している帯域（７ＧＨｚ以下）においてＷｉ−Ｆｉがないことを（例えば規制によって）保証することができない場合、ＮＲ−Ｕ動作帯域幅は、２０ＭＨｚの整数倍である。
少なくとも、Ｗｉ−Ｆｉが存在しないことを（例えば規制によって）保証することができない帯域について、ＬＢＴは、２０ＭＨｚの単位で実行することができる。
ＦＦＳ：２０ＭＨｚよりも大きい、すなわち２０Ｍｚの整数倍の帯域幅を有する単一のキャリアとしてＬＢＴをどのように実行するかについての詳細。
【００３９】
図３は、サブバンド固有ＬＢＴ後のｇＮＢの可能な伝送帯域幅の組み合わせを概略的に示す図を示す。この例は、８０ＭＨｚのキャリア帯域幅、および２０ＭＨｚサブバンドの連続配分を仮定する。サブバンドは、ａ、ｂ、ｃおよびｄによって示され、図３は、ＮＲ−Ｕ送信について１つ、２つ、３つまたは４つ全ての連続サブバンドをＮＲ−Ｕ送信にどのように配分することができるかを示す。しかしながら、サブバンドの非連続セットも除外されない。
【００４０】
利用可能なサブバンドにおける送信の前に、サブバンド固有のＬＢＴに起因して、ｇＮＢは、帯域外発射について定義された規制ルールを満たすために、ＲＦ設定（例えば、中心周波数、アナログフィルタ）を含む伝送帯域幅構成を調整する必要がある場合がある。ｇＮＢは、ＬＢＴプロセス中に伝送帯域幅適合について決定し、これを行うことができるが、ｇＮＢ  ＢＷ適合の詳細は本開示の範囲外である。しかしながら、論考の目的で、伝送帯域幅（ＴＸ  ＢＷ）は、本明細書において、ｇＮＢが実際にＬＢＴ後に送信するスペクトルの部分を表す特定の用語として定義される。上述したように、ＴＸ  ＢＷは、キャリアＢＷに等しくすることができ、または、ＴＸ  ＢＷは、ＬＢＴの結果に基づくキャリアＢＷの一部（１つまたは複数のサブバンド）である。ＴＸ  ＢＷの上記の意味を所与として、ＴＸ  ＢＷ（および、例えばその構成）における変化により、伝送の帯域幅、伝送の中心周波数、または伝送の帯域幅および中心周波数の双方が変化する場合があることが理解されよう。
【００４１】
上述したように、サブバンド固有のＬＢＴに従ってｇＮＢの伝送帯域幅が変動するシナリオが存在する。以下のように、この状況は、ＵＥにとって、より困難である。
１）ＤＬ送信の開始の前に、ＵＥは、ｇＮＢが送信を行うことができるワイドキャリアＢＷ（すなわち、ＵＥに対し構成された、ＢＷＰによってカバーされる全てのサブバンド）のみを知り、実際のＴＸ  ＢＷを知らない。この場合、ＵＥは、ＤＬ送信バーストを検出するために可能な限り最も広いＢＷ（フルＢＷＰ）を用いる場合がある。
２）ＵＥは、ＤＬ制御チャネルからＴＸ  ＢＷ構成を読み出すか、またはこれを、例えばバースト検出信号（プリアンブルまたはＰＤＣＣＨ  ＤＭＲＳ等）から決定し得る。バースト検出信号はサブバンド固有である場合がある。
３）ＵＥがＴＸ  ＢＷを知るやいなや、ＵＥはアクティブサブバンドのみにおいて監視を開始する。
【００４２】
ＤＬ制御構造およびハッシングがＬＢＴの結果と関係がある場合、ｇＮＢおよびＵＥは、全ての可能性のあるＬＢＴ結果について事前に準備する必要があるか、またはＤＬ制御構造マッピングおよびハッシングをオンザフライで行う必要がある。これは、ＵＥおよびｇＮＢの双方における複雑度を増大させる。他方で、ＵＥは、或る特定のＰＤＣＣＨ処理能力（ニューメロロジーに依拠する）、例えば、スロットあたりのチャネル推定について、４４ブラインドデコードおよび５６ＣＣＥを有する。（ｇＮＢのサブバンド固有ＬＢＴの結果に起因する）ＵＥ受信（ＲＸ）帯域幅の変動条件下でこれらの能力を最大限に利用することが有利である。
【００４３】
このため、問題は、ＤＬ制御構造およびＰＤＣＣＨハッシングが、第１のスロット間でも、他のスロット間でも、ＬＢＴの結果に基づいて変動しないように、複数の２０ＭＨｚサブバンドを含むＮＲ−Ｕ  ＢＷＰにおいてＣＯＲＥＳＥＴおよび探索空間をどのように構成するかである。同時に、既存のＮＲライセンス構造を可能な限り再利用する必要性もある。本明細書において用いられる「ハッシング」という用語は、ＣＯＲＥＳＥＴのＣＣＥ内の探索空間ＰＤＣＣＨ候補の開始位置の決定が、ハッシング関数によって実施されることを意味する。ハッシングは、連続スロットにわたってＣＯＲＥＳＥＴ内のユーザのＰＤＣＣＨ候補の配分をランダム化することによってユーザ間のブロッキング確率を軽減するために適用することができる。
【００４４】
ＮＲ−ＵのためのＤＬ制御のための１つの以前に提案された解決策は、主に、ＣＯＲＥＳＥＴをどのように構成するか、ＣＯＲＥＳＥＴ内のインタリーブをどのように行うかに関するグループ共通ＰＤＣＣＨ（ＧＣ−ＰＤＣＣＨ）の送達、およびＧＣ−ＰＤＣＣＨを受信可能にするためにＰＤＣＣＨ候補を第１のスロット内のサブバンド内に限定することに焦点を当てる。しかしながら、これは、ＮＲ探索空間セットをどのように構成するか、ハッシングをどのように行うか、およびＴＸ  ＢＷを所与として、各サブバンドにおける利用可能なＰＤＣＣＨ候補をどのように決定するかに対処していない。
【００４５】
本開示は、上記の態様に焦点を当て、実施の複雑度が低い解決策を提案する。ここで、探索空間セット構造およびＰＤＣＣＨハッシングは、第１のスロットおよび他のスロット間で変動せず、ＴＸ  ＢＷＰも与えられない（ＬＢＴの結果を与えられる）。
【００４６】
本開示の実施形態によれば、複数のサブバンドを含むＮＲ−Ｕ  ＢＷＰにおけるＣＯＲＥＳＥＴおよび探索空間は、ＤＬ制御構造およびＰＤＣＣＨハッシングがＬＢＴの結果に基づいて変動しないように構成される。更に、ＣＯＲＥＳＥＴおよび探索空間は、ＤＬ制御構造およびＰＤＣＣＨハッシングが第１のスロット間でも、他のスロット間でも変動しないように構成される。同時に、提案される解決策は、既存のＮＲライセンス構造を可能な限り再利用することができる。
【００４７】
本開示の原理および実施は、図４を参照して以下に詳細に説明される。図４は、本開示のいくつかの例示的な実施形態によるダウンリンク制御情報を送信する例示的な方法４００のフローチャートを示す。方法４００は、図１に示すネットワークデバイス１１０において実施することができる。論考の目的で、方法４００は、図１を参照して説明される。
【００４８】
４１０において、ネットワークデバイス１１０は、アンライセンスである複数のサブバンドにおける制御リソースと関連付けられた探索空間構成を決定する。探索空間構成は、複数のサブバンドのためのダウンリンク制御情報の検出の候補を示す。論考の目的で、ダウンリンク制御情報の検出の候補は、本開示の文脈において、「ＰＤＣＣＨ候補」とも呼ばれる。いくつかの実施形態において、複数のサブバンドの各々は、例えば、２０ＭＨｚまたは他の適切な値とすることができる。
【００４９】
本開示の実施形態によれば、探索空間構成は、多岐にわたる方式で構成することができる。いくつかの実施形態において、ネットワークデバイス１１０は、複数のサブバンドについて、候補の構成された数を分割することによって、複数のサブバンドの１つまたは複数のサブセットについて、候補の１つまたは複数の数を決定することができる。ネットワークデバイス１１０は、１つまたは複数のサブセットについて決定された１つまたは複数の数の中から、単一の数を更に決定することができる。次に、決定された単一の数に基づいて、ネットワークデバイス１１０は、例えば、複数のサブバンドの１つまたは複数のサブセットについて、制御リソース内の候補の開始位置を決定することができる。いくつかの実施形態において、単一の数および開始位置は、端末デバイスによって仮定される伝送帯域幅と無関係とすることができる。
【００５０】
候補の構成された数は、いくつかの方式で、例えば均等に、または比例的に分割することができる。いくつかの実施形態において、候補の構成された数は、複数のサブバンドについて実質的に均等に分割することができる。代替的に、候補の構成された数は、複数のサブバンドの各々に配分された制御リソースの数に基づいて、複数のサブバンドについて分割することができる。
【００５１】
探索空間構成は、チャネル占有時間（ＣＯＴ）の第１のスロットまたはミニスロットに適用することができる。いくつかの実施形態において、ｇＮＢは、サブバンド固有のＬＢＴに基づいて１つまたは複数のサブバンドについてＣＯＴを取得することができる。ＣＯＴを取得すると、ＤＬ送信が開始することができる。ｇＮＢは、ＣＯＴの持続時間をカウントするカウンタを開始することができる。ｇＮＢによって取得されたＣＯＴは、セル内のＤＬおよびＵＬ双方の送信のために用いることができる。規制ルールは、ＣＯＴの最大長（ＭＣＯＴ）を定義することができる。ＭＣＯＴの持続時間は、例えば、４、６、または８ミリ秒とすることができる。ＣＯＴが終了すると、ｇＮＢは、次のＣＯＴのためのチャネルを取得するためにサブバンド固有ＬＢＴを再び実行する必要がある場合がある。「ＴＸＯＰ（送信機会）」という用語は、デバイスがチャネルを占有するときの時間間隔を定義する類似の目的でも用いられる。
【００５２】
「第１のスロット」または「ミニスロット」は、限定する用語と解釈されるべきでないことを理解されたい。この用語は、１つまたは複数のスロットまたはミニスロットにおける１つまたは複数の監視機会をカバーすることができる。「第１のスロットまたはミニスロット」によって定義される期間は、ＣＯＴの始まりから開始することができ、所定のスロット境界において終了することができる。いくつかの代替的な実施形態において、探索空間構成は、ＣＯＴの第１のスロットまたはミニスロット以外のＣＯＴのスロットに適用することができる。更なる代替的な実施形態において、探索空間構成は、ＣＯＴの全てのスロットに適用される。
【００５３】
ダウンリンク制御情報がネットワークデバイス１１０から送信される前に、ステップ４２０において、ネットワークデバイス１１０は、探索空間構成から、複数のサブバンドの各々における制御リソース上の候補の位置を決定することができる。
【００５４】
４３０において、ネットワークデバイス１１０は、端末デバイスによって仮定される伝送帯域幅に基づいて、利用可能な数の候補を決定された位置にマッピングする。これは、ＵＥがｇＮＢの伝送帯域幅を決定する方式（例えば、ＧＣ−ＰＤＣＣＨに基づくか、またはバースト検出信号に基づく）に依拠することができる。
【００５５】
いくつかの実施形態において、ネットワークデバイス１１０は、複数のサブバンドから、端末デバイスによって知られるサブバンドのサブセットを決定することができる。次に、ネットワークデバイス１１０は、候補の構成された数をサブセットについて分割することによって、サブセット内のサブバンドごとに、利用可能な候補の数を決定することができる。
【００５６】
候補の構成された数は、サブセット内のサブバンドについて実質的に均等に分割することができる。代替的に、候補の構成された数は、サブセット内のサブバンドに配分された制御リソースの数に基づいて、サブセット内のサブバンドについて分割することができる。
【００５７】
いくつかの実施形態において、構成された候補の総数は、サブセット内のサブバンドの数と無関係とすることができる。
【００５８】
いくつかの実施形態において、利用可能な数の候補を、サブバンド内の候補の決定された位置にマッピングすることは、候補インデックスの昇順で行われる。
【００５９】
４４０において、ネットワークデバイス１１０は、マッピングされた候補において、ダウンリンク制御情報を端末デバイスに送信する。
【００６０】
本開示の実施形態によれば、複数のサブバンドを含むＮＲ−Ｕ  ＢＷＰにおいてＣＯＲＥＳＥＴおよび探索空間を構成するために、ＵＥが（ｇＮＢ）ＬＢＴの結果に基づいて、異なるサブバンド間のＰＤＣＣＨ候補の動的分割によってそのブラインド検出（ＢＤ）およびＣＣＥチャネル推定機能を最大限に利用することができる、提案されるスケーラブルＰＤＣＣＨ設計。このようにして、有効ダウンリンク制御チャネル構造が低複雑度で構築される。
【００６１】
本開示のいくつかの実施形態において、探索空間構成に関して、構成されたＣＣＥは、サブバンド内でインデックス付けされ、ＰＤＣＣＨ候補ハッシングがサブバンド内のＣＣＥに対し実行される。これは、ＣＯＲＥＳＥＴ構造がＬＢＴ結果と無関係に同じままであることを保証する。探索空間セットにおけるＢＤ／ＰＤＣＣＨ候補の構成された総数Ｎは、予め定義されたルールに従って、例えば（概ね）均等な分割、または比例的分割（サブバンド内の構成されたＣＣＥの数に概ね比例する）に基づいて、利用可能なサブバンド間で分割される。
【００６２】
探索空間セット構成は、（ＲＲＣに基づいて、）プライマリサブバンドのみに、または全てのサブバンドに、またはサブバンドのサブセットに適用可能とすることができる。プライマリサブバンドは、ＵＥがＲＡＣＨを実行したサブバンドまたはＵＥにシグナリングしたサブバンドによって暗黙的に定義される、セル定義ＳＳＢを含むサブバンドとすることができる。
【００６３】
本開示のいくつかの実施形態において、ＣＯＴ内の探索空間セットの構成および適合のための多岐にわたる手法が存在する。以下は、論考の目的で２つのオプションＡおよびＢを示す。これらのオプションは、いかなる限定も示唆するものではなく、単に例示のためのものであることを理解されたい。
【００６４】
オプションＡ：ＣＯＴの第１のスロットおよびＣＯＴの他のスロットのための別個の構成。ＵＥは、ＵＥがｇＮＢの実際のＴＸＢＷ構成をまだ知らないと仮定して、ＣＯＴの開始時に第１の探索空間セット構成を利用する。第２の探索空間セット構成は、決定されたＴＸＢＷ構成に基づいて定義される。
【００６５】
オプションＢ：１つの探索空間セット構成は、ＣＯＴ全体をカバーする。これは、ＵＥが、（例えば、広帯域（ＷＢ）ＤＭＲＳまたはプリアンブルから）ｇＮＢのサブバンドの組み合わせを決定することが可能であることを仮定する。
【００６６】
ｇＮＢは、いずれのオプションを使用するかを構成することができる。すなわち、探索空間セット構成は、ミニスロット監視を用いて第１のスロットにおける機会を監視すること（オプションＡ）、またはスロットベースの監視を用いる他のスロット（オプションＡ）、または双方（オプションＢ）（ＲＲＣにおける２ビット）に適用することができる。
【００６７】
いくつかの実施形態において、探索空間セット構成は、ＣＯＴの第１のスロットについて決定することができる。これは、オプションＡにのみ適用することができる。これらの実施形態において、総バジェットはＮ個の候補であり、Ｎ個の候補は、全てのサブバンド（および対応する探索空間）間で共有することができる。Ｎ個の候補は多岐にわたる方式で分割することができる。例えば、Ｎ個の候補は概ね均等に分割することができる。代替的に、これらは、サブバンド内で構成されるＣＣＥの数に比例して分割することができる。
【００６８】
代替的に、いくつかの実施形態において、探索空間セット構成は、ＣＯＴの他のスロットについて（オプションＡのみ）およびオプションＢについて決定されてもよい。ＵＥがサブバンド数（すなわち、ｇＮＢのＬＢＴまたはＴＸ  ＢＷの結果）を知っていると仮定する。Ｎ個の候補は、決定されたサブバンド間で共有される。サブバンドの探索空間内の候補数はサブバンド数に基づく。開始点は、Ｎ（総バジェット）がＬＢＴに従って変動しないことである。他方で、１つまたは２つのサブバンドのみが利用可能である場合、ＵＥは、より少ない数のＢＤで存続することができ、Ｎiは、ｉ＝１、２、３および４の利用可能なサブバンドについて別個に構成することができる。Ｎi個のＢＤを、ＴＸ  ＢＷ内のｉ個の利用可能なサブバンドの探索空間間で（概ね均等に／ＣＣＥの数に比例して）共有される。
【００６９】
ＮＲハッシング関数（下）は、
【数１】
2022501955.tif 000003
に基づく。これは、好ましい実施形態において、Ｎiの構成された値にわたる所与のサブバンドあたりの最大候補数として定義される。探索空間あたりのＢＤの数は、ＬＢＴ（サブバンド数）に従って変動し、サブバンドにおけるいくつかの予め計算された候補はドロップする場合があるが、サブバンド内の候補順序（候補位置）はＬＢＴに従って変動せず、ＵＥおよびｇＮＢは、ＬＢＴの結果を所与としてハッシング（すなわち、ＰＤＣＣＨ候補開始位置の決定）を再反復する必要がない。これにより、ＰＤＣＣＨ候補のＣＣＥ位置を事前に計算することが可能になる。利用可能な候補（ドロップしていない候補）は、予めハッシュされたＰＤＣＣＨ候補位置に昇順でマッピングすることができる。
【００７０】
【数２】
2022501955.tif 000004
【００７１】
上記のハッシング関数（１）において、Ｌは、ＰＤＣＣＨ候補の集約レベル（ＡＬ）を表す。
Ｙpは、ｃｏｒｅｓｅｔ  ｐにおけるＵＥ固有のランダム化を表し、
【数３】
2022501955.tif 000005
は、ｃｏｒｅｓｅｔ  ｐにおける探索空間ｓ内の候補数、Ｎiの構成された値にわたる所与のサブバンドあたりの最大候補数を表し、
ｍsは、探索空間ｓ内の候補のインデックス
【数４】
2022501955.tif 000006
を表し、
ＮCCE,pは、ＣＯＲＥＳＥＴ内のＣＣＥ数を表し、
ｎClは、キャリアインデックスを有するキャリアのオフセットを表し、
ｉは、ＰＤＣＣＨ候補ｉ＝０．．．（Ｌ−１）のＣＣＥを表す。
【００７２】
ここで、図５および図６の実施形態を参照して、更なる詳細について論考する。いくつかの実施形態において、ＣＯＲＥＳＥＴ＃０（ＭＩＢまたはＳＩＢ１によって構成される場合）は、ＵＥが初期アクセスを行う２０ＭＨｚサブバンド内に位置する。
【００７３】
レガシー４５ビットビットマップを用いて、ＮＲ−Ｕ  ＢＷＰにわたって専用ＣＯＲＥＳＥＴが構成されるが、６ＰＲＢグリッドは、ライセンスを要するＮＲにおけるようなポイントＡではなく、サブバンドの第１のＰＲＢに位置合わせされる（図３を参照）。この手法の利点は、サブバンド境界において必要とされるガードバンドに関して、ＣＯＲＥＳＥＴロケーションを最適化することが可能になることである。インタリーブ（構成される場合）はサブバンド内のＲＥＧバンドルのみにおけるものであることに加えて、１つまたは複数のサブバンドを各々がカバーする複数の並列ＣＯＲＥＳＥＴを構成することが可能である。
【００７４】
図５は、本開示のいくつかの例示的な実施形態によるＣＯＲＥＳＥＴ構成を概略的に示す図５００を示す。既存の構成ｆｒｅｑｕｅｎｃｙＤｏｍａｉｎＲｅｓｏｕｒｃｅｓ  ＩＥ（４５ビット）が再利用されるが、ビットは、異なる形で解釈される。本開示の実施形態によれば、ライセンスを要するＮＲのようにポイントＡで開始する一様６ＰＲＢグリッドの代わりに、グリッドは、非一様であり、サブバンドのＰＲＢ内にのみ存在する。図５に示すように、レガシー手法の結果として、最大で７つの６−ＰＲＢブロックを含むサブバンド＃０が得られる。提案される解決策は、最大で８つの６ＰＲＢブロックの構成を可能にする。この例において、ポイントＡの位置を調整することが可能であり得るが、これは、４つのサブバンドを含むＢＷＰを用いると達成可能でない場合がある（これは、例えば、双方が２つのサブバンドをカバーする２つの並列ＣＯＲＥＳＥＴを用いると実行可能である可能性がある）。
【００７５】
図５の例に従って、ｇＮＢは、以下の特性を有するＣＯＲＥＳＥＴを構成することができる。
ｆｒｅｑｕｅｎｃｙＤｏｍａｉｎＲｅｓｏｕｒｃｅｓ＝［１１１１１１１１｜０１１１１１１０｜０００００．．．．．］
ｄｕｒａｔｉｏｎ＝［１］
【００７６】
この構成は、サブバンド＃０における全ての監視機会における８ＣＣＥ探索空間、およびサブバンド＃１の全ての監視機会における６ＣＣＥを提供する。
【００７７】
図６は、本開示のいくつかの例示的な実施形態による、ハッシング関数を概略的に示す図６００を示す。実施形態において、探索空間セットが、例えばＡＬ１についてＮ2＝７およびＮ1＝３を用いて構成されると仮定し、サブバンド＃０における８ＣＣＥ、およびサブバンド＃１における６ＣＣＥを用いた比例的分割を仮定すると、構成される候補の数Ｎiは、以下の表１に示すように分割される。単純にするために、この例ではＡＬ１のみが仮定されるが、この例における手順は、探索空間セットのために構成された任意のＡＬに適用することができる。
【００７８】
【表１】
2022501955.tif 000007
【００７９】
したがって、好ましい実施形態に基づいて、サブバンド＃０のための
【数５】
2022501955.tif 000008
およびサブバンド＃１のための
【数６】
2022501955.tif 000009
は、比例的分割に従う。簡単にするためにＹ＝０を仮定するハッシングが図６に示される。サブバンド＃０のみがアクティブである場合、サブバンド＃０のＰＤＣＣＨ候補＃３は、ＵＥによってドロップされる（監視／マッピングされない）。
【００８０】
Ｔｘ  ＢＷに依拠したＰＤＣＣＨ候補の分割（ＢＤ圧縮）と、ＮＲライセンスを要するＢＤ／ＣＣＥ制限のオーバーブッキングとのインタラクション時
【００８１】
上述したように、ＣＣＥおよびＢＤ制限は、ＵＥにおける制限されたＰＤＣＣＨ監視能力に起因してＲ１５において課される。「ＢＤ圧縮」によって、サブバンド間で構成された候補を分割する提案されるアルゴリズムを表し、「ＢＤ／ＣＣＥドロップ」によって、Ｒ１５オーバーブッキングアルゴリズムを表す。ＢＤ／ＣＣＥドロップアルゴリズムは、ＢＤおよびＣＣＥの観点でＵＥ機能を超過している場合、探索空間セットにより構成されたインデックスに基づいて完全な探索空間セットをドロップする。
【００８２】
ここで、以下の構成例（ＢＤ圧縮を用いた解決策）を仮定する。
・  スロットのシンボル＃０におけるＳＳ＃０が、Ｎ＿４＝８およびＮ＿１＝４である、
・  スロットのシンボル＃１におけるＳＳ＃１が、Ｎ＿４＝８およびＮ＿１＝４である、
・  ＢＤ制限が８に設定される。
【００８３】
４つのサブバンドがアクティブである場合、ＳＳ＃０のみがアクティブであり、候補は、サブバンドにわたって拡散される。ＳＳ＃１は、ＢＤ制限に起因してドロップされる。１つのサブバンドのみがアクティブである場合、ＳＳ＃０およびＳＳ＃１の双方がアクティブである。
【００８４】
他方で、探索空間セットがサブバンドごとにのみ構成されることを可能にされると仮定すると（すなわち、ＢＤ圧縮を用いない解決策）、ｇＮＢは、サブバンドごとに複数の小探索空間セットを構成する必要があり、４つのアクティブサブバンドを有すると、多くの探索空間セットが、ＢＤ／ＣＣＥドロップアルゴリズムに起因してドロップすることになり、いくつかの場合、結果として、サブバンド全体の監視がドロップすることになる。更に、探索空間セットの数は１０に制限され、多数の探索空間セットの構成は、Ｒ１５  ＮＲにおいて既に高いＲＲＣオーバヘッドを大幅に増大させる。
【００８５】
このため、提案される解決策は、Ｒ１５において定義されたＢＤ／ＣＣＥドロップアルゴリズムの前に行われる必要がある。
【００８６】
本開示の実施形態によれば、相当数の利点を達成することができる。例えば、提案されるＣＯＲＥＳＥＴ構成は、（レガシーＮＲライセンス構成と比較して）３０ｋＨｚ  ＳＣＳの全ての２０ＭＨｚサブバンドにサイズ４８ＲＢのＣＯＲＥＳＥＴを常に適合させることを可能にする。更に、提案されるＣＯＲＥＳＥＴ構成は、ＬＢＴ結果と無関係に、固定のＣＯＲＥＳＥＴ構造を可能にする。また更に、分割ルールは、変更されたハッシング定義と合わせて、ＵＥおよびｇＮＢが、構成に基づいて一度のみハッシングを行うことを可能にし、すなわち、ハッシングはＬＢＴ結果と無関係である。これは、（ＵＥおよびｇＮＢの双方について）ＰＤＣＣＨ監視に関係する複雑度を低減させる。加えて、提案される解決策は、ＮＲ  Ｒｅｌ−１５に定義されたインタリーブおよび非インタリーブ双方のＣＣＥ対ＲＥＧマッピングオプションをサポートする。
【００８７】
図７は、本開示のいくつかの実施形態による、ダウンリンク制御情報を受信するための例示的な方法７００のフローチャートを示す。方法７００は、図１に示すような端末デバイス１２０において実施することができる。論考の目的で、方法７００は、図１を参照して説明される。
【００８８】
７１０において、端末デバイス１２０は、アンライセンスである複数のサブバンドにおける制御リソースに関連付けられた探索空間構成を受信する。探索空間構成は、複数のサブバンドのためのダウンリンク制御情報の検出の候補を示す。
【００８９】
７２０において、端末デバイス１２０は、探索空間構成から、複数のサブバンドの各々における制御リソース上の候補の位置を決定する。
【００９０】
いくつかの実施形態において、端末デバイスは、探索空間構成に基づく単一の数に基づいて、制御リソース内の候補の開始位置を決定する。単一の数は、複数のサブバンドの１つまたは複数のサブセットについて決定された候補の１つまたは複数の数の中から決定することができる。候補の１つまたは複数の数は、複数のサブバンドについて、候補の構成された数を分割して、１つまたは複数のサブセットについて決定することができる。
【００９１】
いくつかの実施形態において、単一の数および開始位置は、端末デバイスによって仮定される伝送帯域幅と無関係とすることができる。
【００９２】
いくつかの実施形態において、候補の構成された数は、複数のサブバンドについて実質的に均等に分割することができる。代替的に、候補の構成された数は、複数のサブバンドの各々に配分された制御リソースの数に基づいて、複数のサブバンドについて分割することができる。
【００９３】
いくつかの実施形態において、探索空間構成は、ＣＯＴの第１のスロットまたはミニスロットに適用することができる。いくつかの代替的な実施形態において、探索空間構成は、ＣＯＴの第１のスロットまたはミニスロット以外のＣＯＴのスロットに適用される。更なる代替的な実施形態において、探索空間構成はＣＯＴの全てのスロットに適用される。
【００９４】
７３０において、端末デバイス１２０は、端末デバイスによって仮定される伝送帯域幅に基づいて、決定された位置にマッピングされる利用可能な数の候補を決定する。
【００９５】
いくつかの実施形態において、端末デバイス１２０は、複数のサブバンドから、サブバンドのサブセットを決定することができる。次に、端末デバイス１２０は、候補の構成された数をサブセットについて分割することによって、サブセット内のサブバンドごとに、利用可能な候補の数を決定することができる。
【００９６】
候補の構成された数は、サブセット内のサブバンドについて実質的に均等に分割することができる。代替的に、候補の構成された数は、サブセット内のサブバンドに配分された制御リソースの数に基づいて、サブセット内のサブバンドについて分割することができる。
【００９７】
いくつかの実施形態において、構成された候補の総数は、サブセット内のサブバンドの数と無関係である。
【００９８】
いくつかの実施形態において、そのようなマッピングは、候補インデックスの昇順で行われる。
【００９９】
７４０において、端末デバイス１２０は、利用可能な数の候補に基づいて、ダウンリンク制御情報を検出する。
【０１００】
本開示の実施形態によれば、複数のサブバンドを含むＮＲ−Ｕ  ＢＷＰ内のＣＯＲＥＳＥＴおよび探索空間は、ＤＬ制御構成およびＰＤＣＣＨハッシングが、ＬＢＴの結果に基づいて変動しないように構成される。したがって、ＬＢＴの結果と無関係な探索構造セット構造およびＰＤＣＣＨハッシングは、低複雑度で達成することができる。
【０１０１】
いくつかの実施形態において、端末デバイス１２０は、複数のサブバンド（２０ＭＨｚサブバンド）にまたがる少なくとも１つのＣＯＲＥＳＥＴについて少なくとも１つの探索空間セット構成を受信することができる。構成は、各集約レベルにつき、および少なくとも、ＢＷＰ内のサブバンドの最大数、すなわちＮ個ごとに、複数のＰＤＣＣＨ候補を含む。探索空間セットおよび対応するＣＯＲＥＳＥＴごとに、構成された探索空間セットは、プライマリサブバンド、全てのサブバンド、またはサブバンドのサブセットに適用可能とすることができる。
【０１０２】
端末デバイス１２０は、ＣＯＲＥＳＥＴが構成された各サブバンド内のＣＯＲＥＳＥＴのＣＣＥを決定することができる。
【０１０３】
端末デバイス１２０は、ハッシングのためのＰＤＣＣＨ候補の最大数Ｍmaxを、サブバンドの最大数Ｎについて構成されたものとなるように決定することができる。
【０１０４】
いくつかの実施形態において、端末デバイス１２０は、サブバンドのサブセットがアクティブである場合についても、少なくとも、最大数のサブバンドに加えて、探索空間セットのＰＤＣＣＨ候補数Ｎiの追加の構成を受信することができる。サブバンドにおけるハッシングのためのＰＤＣＣＨ候補の最大数Ｍmaxは、全ての可能なサブバンドの組み合わせにわたる最大候補数Ｎiに従って決定されるべきである。
【０１０５】
いくつかの実施形態において、端末デバイス１２０は、サブバンドにおけるハッシングのためのＰＤＣＣＨ候補の決定された最大数Ｍmaxに基づいて、サブバンドごとにハッシングを実行することができる。
【０１０６】
決定されたサブバンドの組み合わせ（ｇＮＢにおけるＬＢＴ結果の結論）に基づいて、端末デバイス１２０は、ルールに従って探索空間セットのアクティブサブバンド間の構成されたＰＤＣＣＨ候補の数を分割することによって、サブバンドあたりの候補数を決定することができる。いくつかの実施形態において、ルールは、適宜、均等分割とすることができる。代替的に、ルールは、サブバンド内のＣＣＥの数に概ね比例して分割することができる。
【０１０７】
いくつかの実施形態において、端末デバイス１２０は、サブバンドあたりの決定された数の候補を、既に予めハッシングされた探索空間にマッピングすることができる。
【０１０８】
いくつかの例示的な実施形態において、方法４００を実行することが可能な装置（例えば、ネットワークデバイス１１０）は、方法４００のそれぞれのステップを実行する手段を備えることができる。手段は、任意の適切な形式で実施することができる。例えば、手段は、回路部またはソフトウェアモジュールにおいて実施することができる。
【０１０９】
いくつかの例示的な実施形態において、装置は、アンライセンスである複数のサブバンド上の制御リソースに関連付けられた探索空間構成を決定する手段であって、探索空間構成は、複数のサブバンドについて、ダウンリンク制御情報の検出の候補を示す、手段と、探索空間構成から、複数のサブバンドの各々における制御リソース上の候補の位置を決定する手段と、端末デバイスによって仮定される伝送帯域幅に基づいて、利用可能な数の候補を決定された位置にマッピングする手段と、マッピングされた候補において、ダウンリンク制御情報を端末デバイスに送信する手段とを備える。
【０１１０】
いくつかの例示的な実施形態において、探索空間構成を決定する手段は、複数のサブバンドについて、候補の構成された数を分割することによって、複数のサブバンドの１つまたは複数のサブセットについて、候補の１つまたは複数の数を決定する手段と、１つまたは複数のサブセットについて決定された１つまたは複数の数の中から、単一の数を決定する手段と、決定された単一の数に基づいて、制御リソース内の候補の開始位置を決定する手段とを備える。
【０１１１】
いくつかの例示的な実施形態において、単一の数および開始位置は、端末デバイスによって仮定される伝送帯域幅と無関係とすることができる。
【０１１２】
いくつかの例示的な実施形態において、候補の構成された数は、複数のサブバンドについて実質的に均等に分割されるか、または候補の構成された数は、複数のサブバンドの各々に配分された制御リソースの数に基づいて、複数のサブバンドについて分割される。
【０１１３】
いくつかの例示的な実施形態において、探索空間構成は、チャネル占有時間（ＣＯＴ）の第１のスロットまたはミニスロットに適用される。
【０１１４】
いくつかの例示的な実施形態において、探索空間構成は、チャネル占有時間（ＣＯＴ）の第１のスロットまたはミニスロット以外のＣＯＴのスロットに適用される。
【０１１５】
いくつかの例示的な実施形態において、探索空間構成は、チャネル占有時間（ＣＯＴ）の全てのスロットに適用される。
【０１１６】
いくつかの例示的な実施形態において、利用可能な数の候補を決定された位置にマッピングする手段は、複数のサブバンドから、端末デバイスによって知られるサブバンドのサブセットを決定する手段と、候補の構成された数をサブセットについて分割することによって、サブセット内のサブバンドごとに、利用可能な候補の数を決定する手段とを備える。
【０１１７】
いくつかの例示的な実施形態において、候補の構成された数は、サブセット内のサブバンドについて実質的に均等に分割されるか、または候補の構成された数は、サブセット内のサブバンドに配分された制御リソースの数に基づいて、サブセット内のサブバンドについて分割される。
【０１１８】
いくつかの例示的な実施形態において、構成された候補の総数は、サブセット内のサブバンドの数と無関係である。
【０１１９】
いくつかの例示的な実施形態において、利用可能な数の候補を、サブバンド内の候補の決定された位置にマッピングすることは、候補インデックスの昇順で行われる。
【０１２０】
いくつかの例示的な実施形態において、方法７００を実行することが可能な装置（例えば、端末デバイス１２０）は、方法７００のそれぞれのステップを実行する手段を備えることができる。手段は、任意の適切な形態で実施することができる。例えば、手段は、回路部またはソフトウェアモジュールにおいて実施することができる。
【０１２１】
いくつかの例示的な実施形態において、装置は、アンライセンスである複数のサブバンド上の制御リソースに関連付けられた探索空間構成を受信する手段であって、探索空間構成は、複数のサブバンドについて、ダウンリンク制御情報の検出の候補を示す、手段と、探索空間構成から、複数のサブバンドの各々における制御リソース上の候補の位置を決定する手段と、端末デバイスによって仮定される伝送帯域幅に基づいて、決定された位置にマッピングされる利用可能な数の候補を決定する手段と、利用可能な数の候補に基づいて、ダウンリンク制御情報を検出する手段とを備える。
【０１２２】
いくつかの例示的な実施形態において、端末デバイスは、探索空間構成に基づいて、単一の数に基づいて制御リソースにおける候補の開始位置を決定する。単一の数は、複数のサブバンドの１つまたは複数のサブセットについて決定された候補の１つまたは複数の数の中から決定され、候補の１つまたは複数の数は、複数のサブバンドについて、候補の構成された数を分割して、１つまたは複数のサブセットについて決定される。
【０１２３】
いくつかの例示的な実施形態において、単一の数および開始位置は、端末デバイスによって仮定される伝送帯域幅と無関係とすることができる。
【０１２４】
いくつかの例示的な実施形態において、候補の構成された数は、複数のサブバンドについて実質的に均等に分割されるか、または候補の構成された数は、複数のサブバンドの各々に配分された制御リソースの数に基づいて、複数のサブバンドについて分割される。
【０１２５】
いくつかの例示的な実施形態において、探索空間構成は、チャネル占有時間（ＣＯＴ）の第１のスロットまたはミニスロットに適用される。
【０１２６】
いくつかの例示的な実施形態において、探索空間構成は、チャネル占有時間（ＣＯＴ）の第１のスロットまたはミニスロット以外のＣＯＴのスロットに適用される。
【０１２７】
いくつかの例示的な実施形態において、探索空間構成は、チャネル占有時間（ＣＯＴ）の全てのスロットに適用される。
【０１２８】
いくつかの例示的な実施形態において、決定された位置にマッピングされる利用可能な数の候補を決定する手段は、複数のサブバンドから、サブバンドのサブセットを決定する手段と、候補の構成された数をサブセットについて分割することによって、サブセット内のサブバンドごとに、利用可能な候補の数を決定する手段とを備える。
【０１２９】
いくつかの例示的な実施形態において、候補の構成された数は、サブセット内のサブバンドについて実質的に均等に分割されるか、または候補の構成された数は、サブセット内のサブバンドに配分された制御リソースの数に基づいて、サブセット内のサブバンドについて分割される。
【０１３０】
いくつかの例示的な実施形態において、構成された候補の総数は、サブセット内のサブバンドの数と無関係である。
【０１３１】
いくつかの例示的な実施形態において、利用可能な数の候補を、サブバンド内の候補の決定された位置にマッピングすることは、候補インデックスの昇順で行われる。
【０１３２】
図８は、本開示の例示的な実施形態を実施するのに適したデバイス８００の概略ブロック図である。デバイス８００は、図１に示すように、端末デバイス１２０の更なる例示的な実施態様とみなすことができる。したがって、デバイス８００は、ネットワークデバイス１１０において、またはその少なくとも一部として実施することができる。
【０１３３】
示されるように、デバイス８００は、プロセッサ８１０と、プロセッサ８１０に結合されたメモリ８２０と、プロセッサ８１０に結合された適切な送信機（ＴＸ）および受信機（ＲＸ）８４０と、ＴＸ／ＲＸ８４０に結合された通信インタフェースとを備える。メモリ８１０は、プログラム８３０の少なくとも一部を記憶する。ＴＸ／ＲＸ８４０は、双方向通信のためのものである。ＴＸ／ＲＸ８４０は、通信を容易にするために少なくとも１つのアンテナを有するが、実際には、本出願において言及されたアクセスノードはいくつかのアンテナを有することができる。通信インタフェースは、ｅＮＢ間の双方向通信のためのＸ２インタフェース、モビリティ管理エンティティ（ＭＭＥ）／サービングゲートウェイ（Ｓ−ＧＷ）とｅＮＢとの間の通信のためのＳ１インタフェース、ｅＮＢと中継ノード（ＲＮ）との間の通信のためのＵｎインタフェース、またはｅＮＢと端末デバイスとの間の通信のためのＵｕインタフェース等の、他のネットワーク要素との通信に必要な任意のインタフェースを表してもよい。
【０１３４】
図２から図４を参照して本明細書において論考されるように、プログラム８３０は、関連するプロセッサ８１０によって実行されると、デバイス８００が本開示の例示的な実施形態に従って動作することを可能にするプログラム命令を含むことが仮定される。本明細書における例示的な実施形態は、デバイス８００のプロセッサ８１０によって実行可能なコンピュータソフトウェアによって、またはハードウェアによって、またはソフトウェアとハードウェアとの組み合わせによって実施されてもよい。プロセッサ８１０は、本開示の様々な実施形態を実施するように構成されてもよい。更に、プロセッサ８１０とメモリ８１０との組み合わせは、本開示の様々な実施形態を実施するように適合された処理手段８５０を形成してもよい。
【０１３５】
メモリ８１０は、ローカル技術ネットワークに適した任意のタイプのものであってもよく、非限定的な例として、非一過性コンピュータ可読記憶媒体、半導体ベースのメモリデバイス、磁気メモリデバイスおよびシステム、光メモリデバイスおよびシステム、固定メモリおよびリムーバブルメモリ等の任意の適したデータ記憶技術を使用して実施されてもよい。デバイス８００には１つのメモリ８１０のみが示されているが、デバイス８００には物理的に異なる複数のメモリモジュールが存在してもよい。プロセッサ８１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ）、およびマルチコアプロセッサアーキテクチャに基づくプロセッサのうちの１つまたは複数を含んでもよい。デバイス８００は、メインプロセッサを同期させるクロックに同期してスレーブ化されたアプリケーション固有の集積回路チップ等の複数のプロセッサを有してもよい。
【０１３６】
一般に、本開示の様々な実施形態は、ハードウェアまたは専用回路、ソフトウェア、ロジック、またはそれらの任意の組み合わせで実装されてもよい。いくつかの側面は、ハードウェアで実装されてもよく、他の側面は、コントローラ、マイクロプロセッサ、または他のコンピューティングデバイスによって実行されてもよいファームウェアまたはソフトウェアで実装されてもよい。本開示の実施形態の様々な側面が、ブロック図、フローチャート、または他のいくつかの図示を用いて図示され、説明されているが、本明細書に記載されたブロック、装置、システム、技術または方法は、非限定的な例として、ハードウェア、ソフトウェア、ファームウェア、専用回路もしくはロジック、汎用ハードウェアもしくはコントローラもしくは他のコンピューティングデバイス、またはそれらの任意の組み合わせで実装されてもよいことが理解されよう。
【０１３７】
本開示はまた、非一過性のコンピュータ読み取り可能な記憶媒体に有形に記憶された少なくとも１つのコンピュータプログラム製品を提供する。このコンピュータプログラム製品は、図４から図７のいずれかを参照して上述したようなプロセスまたは方法を実行するために、ターゲットの実プロセッサまたは仮想プロセッサ上のデバイスで実行される、プログラムモジュールに含まれるようなコンピュータ実行可能な命令を含む。一般に、プログラムモジュールは、特定のタスクを実行するか、または特定の抽象データ型を実装するルーチン、プログラム、ライブラリ、オブジェクト、クラス、コンポーネント、データ構造等を含む。プログラムモジュールの機能は、様々な実施形態において所望されるように、プログラムモジュール間で結合されてもよいし、分割されてもよい。プログラムモジュールのためのマシン実行可能な命令は、ローカルデバイス内で実行されてもよいし、分散デバイス内で実行されてもよい。分散型デバイスでは、プログラムモジュールは、ローカル記憶媒体およびリモート記憶媒体の両方に配置されてもよい。
【０１３８】
本開示の方法を実行するためのプログラムコードは、１つまたは複数のプログラミング言語の任意の組み合わせで記述されてもよい。これらのプログラムコードは、汎用コンピュータ、特殊用途コンピュータ、または他のプログラム可能なデータ処理装置のプロセッサまたはコントローラに提供されてもよく、そのようなプログラムコードは、プロセッサまたはコントローラによって実行されると、フローチャートおよび／またはブロック図で指定された機能／操作が実行されるようになる。プログラムコードは、全体的にマシン上で実行されてもよいし、部分的にマシン上で実行されてもよいし、スタンドアロンのソフトウェアパッケージとして実行されてもよいし、部分的にマシン上で実行されてもよいし、部分的にリモートマシン上で実行されてもよいし、全体的にリモートマシンまたはサーバ上で実行されてもよい。
【０１３９】
本開示の文脈において、コンピュータプログラムコードまたは関連データは、デバイス、装置またはプロセッサが、上述した様々なプロセスおよび動作を実行することを可能にする任意の適切なキャリアによって実行することができる。キャリアの例は、信号、コンピュータ可読媒体を含む。
【０１４０】
コンピュータ可読媒体は、コンピュータ可読信号媒体またはコンピュータ可読記憶媒体とすることができる。コンピュータ可読媒体は、限定ではないが、電子、磁気、光、電磁、赤外線もしくは半導体のシステム、装置もしくはデバイス、または上記の任意の適切な組み合わせを含むことができる。コンピュータ可読記憶媒体のより具体的な例は、１本以上のワイヤを有する電気的接続、ポータブルコンピュータディスケット、ハードディスク、ランダムアクセスメモリ（ＲＡＭ）、リードオンリーメモリ（ＲＯＭ）、消去可能なプログラム可能なリードオンリーメモリ（ＥＰＲＯＭまたはフラッシュメモリ）、光ファイバー、ポータブルコンパクトディスクリードオンリーメモリ（ＣＤ−ＲＯＭ）、光記憶デバイス、磁気記憶デバイス、または上記の任意の適切な組み合わせを含む。
【０１４１】
更に、動作は特定の順序で描かれているが、これは、望ましい結果を達成するために、そのような動作が示された特定の順序で実行されること、または逐次的に実行されること、または示された全ての操作が実行されることを要求するものとして理解されるべきではない。特定の状況では、マルチタスクおよび並列処理が有利であり得る。同様に、いくつかの特定の実施形態の詳細が上記の議論に含まれているが、これらは、本開示の範囲を制限するものとして解釈されるべきではなく、特定の実施形態に特異的であり得る特徴の記述として解釈されるべきである。別々の実施形態の文脈で説明されている特定の特徴は、単一の実施形態において組み合わせて実施されてもよい。逆に、単一の実施形態の文脈で説明されている様々な特徴もまた、複数の実施形態で別々に、または任意の好適なサブ組み合わせで実装されてもよい。
【０１４２】
本開示は、構造的特徴および／または方法的行為に特有の言語で説明されてきたが、添付の特許請求の範囲に定義された本開示は、必ずしも上述の特定の特徴または行為に限定されるものではないことが理解されるべきである。むしろ、上述の特定の特徴および行為は、特許請求の範囲を実施する例示的な形態として開示されている。
【図１】
2022501955.tif 000010
【図２】
2022501955.tif 000011
【図３】
2022501955.tif 000012
【図４】
2022501955.tif 000013
【図５】
2022501955.tif 000014
【図６】
2022501955.tif 000015
【図７】
2022501955.tif 000016
【図８】
2022501955.tif 000017
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
ネットワークデバイスにおいて実施される方法であって、
アンライセンスである複数のサブバンド上の制御リソースに関連付けられた探索空間構成を決定することであって、前記探索空間構成は、前記複数のサブバンドについて、ダウンリンク制御情報の検出の候補を示す、決定することと、
前記探索空間構成から、前記複数のサブバンドの各々における前記制御リソース上の前記候補の位置を決定することと、
端末デバイスによって仮定される伝送帯域幅に基づいて、利用可能な数の候補を前記決定された位置にマッピングすることと、
前記マッピングされた候補において、ダウンリンク制御情報を前記端末デバイスに送信することと
を含む、方法。
【請求項２】
前記探索空間構成を決定することは、
前記複数のサブバンドについて、候補の構成された数を分割することによって、前記複数のサブバンドの１つまたは複数のサブセットについて、前記候補の１つまたは複数の数を決定することと、
前記１つまたは複数のサブセットについて決定された前記１つまたは複数の数の中から、単一の数を決定することと、
前記決定された単一の数に基づいて、前記制御リソース内の前記候補の開始位置を決定することと
を含む、請求項１に記載の方法。
【請求項３】
前記候補の構成された数は、前記複数のサブバンドについて実質的に均等に分割されるか、または
前記候補の構成された数は、前記複数のサブバンドの各々に配分された制御リソースの数に基づいて、前記複数のサブバンドについて分割される、請求項２に記載の方法。
【請求項４】
前記単一の数および前記開始位置は、前記端末デバイスによって仮定される前記伝送帯域幅と無関係である、請求項２に記載の方法。
【請求項５】
前記利用可能な数の候補を前記決定された位置にマッピングすることは、
前記複数のサブバンドから、前記端末デバイスによって知られることになるサブバンドのサブセットを決定することと、
前記候補の構成された数を前記サブセットについて分割することによって、前記サブセット内のサブバンドごとに、利用可能な候補の数を決定することと
を含む、請求項１または２に記載の方法。
【請求項６】
前記候補の構成された数は、前記サブセット内のサブバンドについて実質的に均等に分割されるか、または
前記候補の構成された数は、前記サブセット内の前記サブバンドに配分された制御リソースの数に基づいて、前記サブセット内の前記サブバンドについて分割される、請求項５に記載の方法。
【請求項７】
前記構成された候補の総数は、前記サブセット内のサブバンドの数と無関係である、請求項５に記載の方法。
【請求項８】
端末デバイスにおいて実施される方法であって、
アンライセンスである複数のサブバンド上の制御リソースに関連付けられた探索空間構成を受信することであって、前記探索空間構成は、前記複数のサブバンドについて、ダウンリンク制御情報の検出の候補を示す、受信することと、
前記探索空間構成から、前記複数のサブバンドの各々における前記制御リソース上の前記候補の位置を決定することと、
仮定される伝送帯域幅に基づいて、前記決定された位置にマッピングされる利用可能な数の候補を決定することと、
前記利用可能な数の候補に基づいて、前記ダウンリンク制御情報を検出することと
を含む、方法。
【請求項９】
前記探索空間構成に基づいて、単一の数に基づいて前記制御リソースにおける前記候補の開始位置を決定することを更に含み、前記単一の数は、前記複数のサブバンドの１つまたは複数のサブセットについて決定された前記候補の１つまたは複数の数の中から決定され、前記候補の前記１つまたは複数の数は、前記複数のサブバンドについて、前記候補の構成された数を分割して、前記１つまたは複数のサブセットについて決定される、請求項８に記載の方法。
【請求項１０】
前記候補の構成された数は、前記複数のサブバンドについて実質的に均等に分割されるか、または
前記候補の構成された数は、前記複数のサブバンドの各々に配分された制御リソースの数に基づいて、前記複数のサブバンドについて分割される、請求項９に記載の方法。
【請求項１１】
前記単一の数および前記開始位置は、前記仮定される伝送帯域幅と無関係である、請求項９に記載の方法。
【請求項１２】
前記決定された位置にマッピングされる前記利用可能な数の候補を決定することは、
前記複数のサブバンドから、サブバンドのサブセットを決定することと、
前記候補の構成された数を前記サブセットについて分割することによって、前記サブセット内のサブバンドごとに、前記利用可能な候補の数を決定することと
を含む、請求項９に記載の方法。
【請求項１３】
前記候補の構成された数は、前記サブセット内のサブバンドについて実質的に均等に分割されるか、または
前記候補の構成された数は、前記サブセット内の前記サブバンドに配分された制御リソースの数に基づいて、前記サブセット内の前記サブバンドについて分割される、請求項１２に記載の方法。
【請求項１４】
前記構成された候補の総数は、前記サブセット内のサブバンドの数と無関係である、請求項１２に記載の方法。
【請求項１５】
装置であって、
少なくとも１つのプロセッサと、
コンピュータプログラムコード含む少なくとも１つのメモリと
を備え、
前記少なくとも１つのメモリおよび前記コンピュータプログラムコードは、前記少なくとも１つのプロセッサを用いて、前記装置に、
アンライセンスである複数のサブバンド上の制御リソースに関連付けられた探索空間構成を決定させ、前記探索空間構成は、前記複数のサブバンドについて、ダウンリンク制御情報の検出の候補を示し、
前記探索空間構成から、前記複数のサブバンドの各々における前記制御リソース上の前記候補の位置を決定させ、
端末デバイスによって仮定される伝送帯域幅に基づいて、利用可能な数の候補を前記決定された位置にマッピングさせ、
前記マッピングされた候補において、ダウンリンク制御情報を前記端末デバイスに送信させる、装置。
【請求項１６】
装置であって、
少なくとも１つのプロセッサと、
コンピュータプログラムコード含む少なくとも１つのメモリと
を備え、
前記少なくとも１つのメモリおよび前記コンピュータプログラムコードは、前記少なくとも１つのプロセッサを用いて、前記装置に、
アンライセンスである複数のサブバンド上の制御リソースに関連付けられた探索空間構成を受信させ、前記探索空間構成は、前記複数のサブバンドについて、ダウンリンク制御情報の検出の候補を示し、
前記探索空間構成から、前記複数のサブバンドの各々における前記制御リソース上の前記候補の位置を決定させ、
仮定される伝送帯域幅に基づいて、前記決定された位置にマッピングされる利用可能な数の候補を決定させ、
前記利用可能な数の候補に基づいて、前記ダウンリンク制御情報を検出させる、装置。
【請求項１７】
コンピュータのためのコンピュータプログラム製品であって、前記製品がコンピュータ上で実行されると、請求項１〜１４のいずれか１項に記載のステップを実行するためのソフトウェアコード部分を含む、コンピュータプログラム製品。
【国際調査報告】
2022501955.tif 000018
2022501955.tif 000019